(57)【要約】【課題】安価で、かつ、安全性の高い入退室管理装置の提供を目的とする。【解決手段】初期状態で自動施錠された閉扉姿勢をとるドア１により閉塞された室内への入退室を管理する入退室管理装置であって、室内側、あるいは室外側のいずれか一方に配置され、バイオメトリクス認証手段２からの認証確認通知により解錠信号を生成するバイオメトリクス解錠操作手段３と、他方に配置され、前記バイオメトリクス認証手段２への登録者毎に与えられる解錠コードの合致を解錠信号生成の条件とする非バイオメトリクス解錠操作手段４とを有して構成する。【選択図】  図１
2005002603.tif 000002
【特許請求の範囲】
【請求項１】
初期状態で自動施錠された閉扉姿勢をとるドアにより閉塞された室内への入退室を管理する入退室管理装置であって、
室内側、あるいは室外側のいずれか一方に配置され、バイオメトリクス認証手段からの認証確認通知により解錠信号を生成するバイオメトリクス解錠操作手段と、
他方に配置され、前記バイオメトリクス認証手段への登録者毎に与えられる解錠コードの合致を解錠信号生成の条件とする非バイオメトリクス解錠操作手段とを有する入退室管理装置。
【発明の詳細な説明】
【０００１】
【発明の属する技術】
本発明は、入退室管理装置に関するものである。
【０００２】
【従来の技術】
重要エリアへの入退室者を管理する装置としては、従来、特許文献１に記載のものが知られている。この従来例において、重要エリアへの出入り口双方には、カードリーダ、あるいは指紋認証手段等の認証手段が配置され、入退室時にこれら認証手段を通過させることにより、重要エリアへの出入り履歴が管理される。
【０００３】
【特許文献１】
特許第２５５６９１４号公報
【０００４】
【発明が解決しようとする課題】
しかし、上述した従来例において、カードリーダ等を認証手段として利用した入退室管理装置にあっては、カードの不正利用等によるなりすまし等を完全に防止することができず、セキュリティ性が低いという欠点を有する。
【０００５】
一方、認証手段に指紋認識装置等のバイオメトリクス認証装置を使用すると、セキュリティが格段に向上することは知られているが、バイオメトリクス認証装置は一般に高価であり、入退室双方の認証に使用すると、装置が極めて高価になってしまうという欠点を有する。
【０００６】
本発明は、以上の欠点を解消すべくなされたものであって、安価で、かつ、安全性の高い入退室管理装置の提供を目的とする。
【０００７】
【課題を解決するための手段】
重要エリアへの入退室を管理するに際しては、入退出履歴に残らない状態での入退室を制限する必要があり、室内外双方に認証手段による認証確認を施錠装置の解錠の条件とする解錠操作部材を配置する必要がある。
【０００８】
一方、重要エリアの入退室管理を考える場合、施錠装置は、入退出履歴への記録の確実性を高める目的と、重要エリアへの不正侵入、あるいは退室を効果的に防止する防犯上の目的を併せ持っており、これらの目的の違いを室内外に配置する解錠操作部材の違いとして切り分けることにより、全体のコスト低減を図ることが可能になる。
【０００９】
すなわち、履歴記録を妨害する必要のない正規の利用者に対しては、過誤による入退室を防止することが可能であれば足り、不正侵入者に対しては、入退室いずれかで確実に侵入を防止すれば足りると考えられる。
【００１０】
本発明は、以上の認識の下、入退室における解錠操作部材を非対称とし、そのいずれか一方にのみ防犯性能の高いバイオメトリクス認証手段２を利用することにより、コスト低減を図りながら、入退室管理の精度を高めるものであり、
初期状態で自動施錠された閉扉姿勢をとるドア１により閉塞された室内への入退室を管理する入退室管理装置であって、
室内側、あるいは室外側のいずれか一方に配置され、バイオメトリクス認証手段２からの認証確認通知により解錠信号を生成するバイオメトリクス解錠操作手段３と、
他方に配置され、前記バイオメトリクス認証手段２への登録者毎に与えられる解錠コードの合致を解錠信号生成の条件とする非バイオメトリクス解錠操作手段４とを有して構成される。
【００１１】
本発明において、バイオメトリクス認証手段２とは、指紋、網膜等、生物的な特徴量を予め登録しておいた特徴量と比較することにより本人確認を行う認証手段の全てを含み、非バイオメトリクス解錠操作手段４に使用する認証手段（非バイオメトリクス認証手段５）は、例えば、暗証番号を担持したカード、暗証番号等のように、上記バイオメトリクス的手段によらない認証手段で、かつ、認証申請者との関連付けが可能な認証手段の全てを含む。
【００１２】
また、バイオメトリクス解錠操作手段３は、バイオメトリクス認証手段２を含めば足り、非バイオメトリクス認証手段５との併用も可能であり、この場合、非バイオメトリクス解錠操作手段４は、バイオメトリクス認証手段２に併用された非バイオメトリクス認証手段５と同種であっても、異種であってもよい。
【００１３】
したがって本発明において、高価なバイオメトリクス認証手段２を入退室側のいずれか一方にのみ使用することにより、全体のコストを低減させることが可能になる。
【００１４】
【発明の実施の形態】
図１、２にドア１に直接固定して使用するように構成された入退室管理装置の実施の形態を示す。まず、ドア１には、ドア枠側のストライクに進退してドア１を施解錠するデッドボルト６ａを備えた箱錠６が固定される。また、箱錠６には、ドア１の両面に配置されるハンドル７への操作によりドア枠側に進退し、ドア１の閉扉状態を維持するためのラッチボルト６ｂが収容される。
【００１５】
上記箱錠６は適宜のアクチュエータを使用した電動駆動機構８により駆動され、さらに、非常時における施解錠を可能にするために、室内側には、サムターン９が、室外側にはシリンダ錠１０が固定される。この実施の形態において、サムターン９内には、上記電動駆動機構８のアクチュエータであるモータが収容される。
【００１６】
また、ドア１には、ドア１の開閉を検出するドアセンサ１１が配置されるとともに、サムターン９内には、操作摘み９ａの回転位置により箱錠６の施解錠状態を検出するためのロックセンサ１２が配置される。
【００１７】
入退室管理装置は、上記電動駆動機構８への制御装置として構成され、ドア１の室外側壁面に固定されるバイオメトリクス解錠操作手段３と、ドア１の室内側壁面に固定される非バイオメトリクス解錠操作手段４とを有する。
【００１８】
図２、３に示すように、バイオメトリクス解錠操作手段３は、指紋認証装置（バイオメトリクス認証手段２）と、暗証番号認証手段（非バイオメトリクス認証手段５）とを同一ケース内に配置して形成される。これに対し、非バイオメトリクス解錠操作手段４は、上記バイオメトリクス解錠操作手段３からバイオメトリクス認証手段２を取り去って暗証番号認証手段５のみで構成される。
【００１９】
これらバイオメトリクス解錠操作手段３と非バイオメトリクス解錠操作手段４の動作は、図１、３に示すように、ケース内に収容される制御部１３により制御され、制御部１３同士は図外のケーブルによって接続される。
【００２０】
なお、図３においては、バイオメトリクス解錠操作手段３の機能ブロック図を完結した状態で示すが、非バイオメトリクス解錠操作手段４側の制御部１３と同一の機能を有する手段は、いずれか一方の制御部１３のみに設けたり、あるいはいずれか一方に全ての機能を集中させることも可能である。
【００２１】
また、制御部１３は、例えば実装基板上に電子部品を実装して構成することも可能であるが、図外のＲＯＭ内に格納されたプログラムに従って動作するマイクロコンピュータのメモリ空間上に必要に応じて作出して実現することもできる。
【００２２】
以下、図３に示す機能ブロック図と図４に示すフローチャートに基づいてバイオメトリクス解錠操作手段３の動作、すなわち、入室手順を説明する。
【００２３】
バイオメトリクス解錠操作手段３は、暗証番号入力部５ａと暗証番号判定手段５ｂとからなる暗証番号認証手段（非バイオメトリクス認証手段５）と、ロックセンサ１２に接続されるキー施解錠検出手段１４とを有し、暗証番号判定手段５ｂとキー施解錠検出手段１４とは、バスライン１５を介して制御信号生成手段１６に接続される。制御信号生成手段１６における暗証番号判定手段５ｂとキー施解錠検出手段１４とからの出力監視がバイオメトリクス解錠操作手段３の待ち受け状態（ステップＳ１０１）に対応する。
【００２４】
待ち受け状態において、暗証番号判定手段５ｂは、暗証番号入力部５ａへの暗証番号の入力を検出すると、入力された暗証番号が登録済みのものであるかを判定し（ステップＳ１０２）、制御信号生成手段１６に運用開始信号を通知する。運用開始信号を受領した制御信号生成手段１６は、指紋認証装置（バイオメトリクス認証手段２）を構成するバイオ判定手段２ａに対して入力された暗証番号に対応する認証画像の呼び出しを指令し、バイオ判定手段２ａは、バイオ認証入力部２ｂへの指紋入力を待ち受ける（ステップＳ１０３）。
【００２５】
この状態から、指紋が入力されると、バイオ判定手段２ａは登録画像と入力画像との比較を行い（ステップＳ１０４）、両者が一致した場合には、照合確認信号を制御信号生成手段１６に出力し、制御信号生成手段１６は、施解錠信号生成手段１７に解錠信号の生成を通知する。解錠信号生成命令を受領した施解錠信号生成手段１７は、解錠信号を電動駆動機構８に出力し、該電動駆動機構８により箱錠６を解錠状態に移行させる（ステップＳ１０５）。この後、制御信号生成手段１６は、キー施解錠検出手段１４が解錠状態を検知していることを確認した後、解錠操作が指紋認証を経由したものである旨を入退室モード格納手段１８に格納する（ステップＳ１０６）。
【００２６】
一方、暗証番号入力部５ａに暗証番号が入力されたものの、登録された暗証番号と異なる場合、または、暗証番号判定手段５ｂにおいて運用開始信号が出力された後、指紋入力がされなかったり、あるいは入力された指紋の照合結果が不良の場合には、待ち受け状態と同様に、制御信号生成手段１６は、キー施解錠検出手段１４の出力を監視し（ステップＳ２０２）、これら待ち受け状態、あるいは準待ち受け状態でキー施解錠検出手段１４がロックセンサ１２の解錠状態への移行を検知すると、制御信号生成手段１６は、解錠操作がシリンダ錠１０を直接操作して行われたものである旨を入退室モード格納手段１８に格納する（ステップＳ２０２）。
【００２７】
以上のようにして解錠操作がなされた後、制御信号生成手段１６は、計時開始指令を生成してタイマ手段１９に出力し、タイマ手段１９による計時動作を開始させ（ステップＳ１０７）、次いで、ドアセンサ１１に接続されたドア監視手段２０の出力変化を監視する（ステップＳ１０８）。タイマ手段１９による計時時間は、解錠状態にあるドア１を開放して室内に入るために要する時間、例えば、１５秒程度に設定される。
【００２８】
タイマ手段１９による計時タイムアップ（ステップＳ１１０）前にドア監視手段２０がドア１の開放を検出せず、かつ、キー施解錠検出手段１４が施錠状態を検出しなかった場合（ステップＳ１０９）には、制御信号生成手段１６は、施解錠信号生成手段１７に施錠信号の生成を通知し、強制施錠する（ステップＳ１１１）。
【００２９】
この状態と、タイムアップ前にドア開放操作が行われず、かつ、キー施解錠検出手段１４が施錠状態への移行を検知した場合は、入室されないで施錠状態に移行した場合に対応するために、制御信号生成手段１６は、入退室モード格納手段１８に解錠操作は行われたが、入室されなかった旨の情報を格納する（ステップＳ１１２）。
【００３０】
これに対し、タイマ手段１９のタイムアップ前にドア監視手段２０がドア開放を検知すると、入退室モード格納手段１８に入室した旨の情報が格納され（ステップＳ３０１）、さらに、ドア監視手段２０の出力によりドア１が閉じたか否かが検出される（ステップＳ３０２）。この状態から、ドア閉扉が確認されると、施解錠信号生成手段１７は施錠信号を生成して箱錠６を施錠状態とする（ステップＳ３０３）。このとき、同時にサムターン９の操作摘み９ａもロックし、室内からのサムターン９の直接操作による解錠状態への移行を禁止する。
【００３１】
このサムターン９に対するロックは、緊急時における解錠、退室を確保するために、所定値以上のトルクを負荷した際には、回転操作可能な程度の強度で行われる。
【００３２】
以上のようにしてステップＳ１１２、あるいはステップＳ３０３が終了すると、制御信号生成手段１６は、入退室モード格納手段１８に入室モードを問い合わせ、その結果に基づいて入退室記録手段２１に入室記録を格納する（ステップＳ３０４）。
【００３３】
入退室記録手段２１における記憶情報は、ステップＳ２０１において解錠操作が行われることなく、処理が終了した場合を除くバイオメトリクス解錠操作手段３へのアクセス履歴の全てを含み、入退室モード格納手段１８が解錠操作が指紋認証を経由したものである旨、すなわち、ステップＳ１０６を経由し、かつ、入室した旨の情報を保持している場合には、指紋登録時に登録された退室用暗証番号を同時に記憶し、入室者の特定と、退室処理に備える。
【００３４】
次に、非バイオメトリクス解錠操作手段４の動作、すなわち、退室手順を図５に基づいて説明する。非バイオメトリクス解錠操作手段４は、図３に示すバイオメトリクス解錠操作手段３からバイオメトリクス認証手段２を取り除いただけの構成であるために、機能ブロック図の図示は省略する。
【００３５】
まず、非バイオメトリクス解錠操作手段４は暗証番号入力部５ａへの暗証番号の入力検出状態が待ち受け状態（ステップＳ４０１）であり、暗証番号入力部５ａに退出用暗証番号が入力されると、暗証番号判定手段５ｂは、制御信号生成手段１６を経由して上述した入退室記録手段２１から退室用暗証番号を取得し、入力値と比較する（ステップＳ４０２）。
【００３６】
この後、暗証番号判定手段５ｂにより認証された場合には、施解錠信号生成手段１７は解錠信号を生成し、電動駆動機構８を解錠方向に駆動して箱錠６を解錠状態に移行させ（ステップＳ４０３）、次いで、入退室モード格納手段１８に暗証番号で解錠操作が行われた旨の書込が行われる（ステップＳ４０４）。
【００３７】
また、制御信号生成手段１６は、待ち受け状態においてキー施解錠検出手段１４の状態を監視しており（ステップＳ５０１）、キー施解錠検出手段１４が解錠状態を検知すると、異常解錠がなされた旨を入退室モード格納手段１８に書き込む（ステップＳ５０２）。
【００３８】
以上のようにして、ステップＳ４０４、あるいはＳ５０２が終了すると、タイマ手段１９が起動され（ステップＳ４０５）、次いで、ドア監視手段２０の出力が監視される（ステップＳ４０６）。
【００３９】
この状態でタイマ手段１９のタイムアップ（ステップＳ４０８）前にドア１の開放操作が行われず、かつ、ステップＳ４０７において、キー施解錠検出手段１４による施錠操作が検出され、あるいはタイマ手段１９がタイムアップした場合には、入退室モード格納手段１８に退室しなかった旨の書き込みが行われる（ステップＳ４０９）。
【００４０】
一方、タイムアップ前にステップＳ４０６においてドア１の開放操作が検出された場合には、入退室モード格納手段１８に退室した旨が書き込まれ（ステップＳ６０１）、次いで、ステップＳ６０２において、入退室記録手段２１中の退室者が使用した退室用暗証番号に使用不能フラグを立てて、ステップＳ４０２における問い合わせに対する応答を不能にし、退室用暗証番号の重複使用を防止する。
【００４１】
この後、制御信号生成手段１６はドア１閉塞動作を監視し（ステップＳ６０３）、ドア監視手段２０がドア１閉扉を検出すると、施解錠信号生成手段１７が施錠信号を生成して箱錠６を施錠状態に移行させる（ステップＳ６０４）。
【００４２】
上記ステップＳ４０９、またはＳ６０４が終了すると、入退室記録手段２１には、退室履歴が退出者の使用した退室用暗証番号とともに格納される（ステップＳ６０５）。
【００４３】
なお、バイオメトリクス解錠操作手段３と非バイオメトリクス解錠操作手段４のいずれかに対する操作が開始されると、制御信号生成手段１６は、反対方の操作禁止信号を出力し、操作の重複を防止する。
【００４４】
以上のように、この実施の形態において、入退室の履歴は順次入退室記録手段２１に蓄積される。この記録は、例えば、適宜の印字手段、あるいはディスプレイ装置に表示することができる。
【００４５】
なお、以上においては、室外側にバイオメトリクス解錠操作手段３を配置し、室内側に非バイオメトリクス解錠操作手段４を配置する場合を示したが、これらの位置関係を反転することも可能である。また、バイオメトリクス解錠操作手段３と非バイオメトリクス解錠操作手段４とをドア１の表裏面に直接固定する場合を示したが、壁面等に埋め込むことも可能である。
【００４６】
【発明の効果】
以上の説明から明らかなように、本発明によれば、全体のコストを低減することができる上に、動作信頼性も向上させることができる。
【図面の簡単な説明】
【図１】本発明を示す図で、（ａ）はドアの回転側端面を示す図、（ｂ）はドアの室内側壁面を示す図、（ｃ）はドアの室外側壁面を示す図である。
【図２】解錠操作手段を示す図で、（ａ）はバイオメトリクス解錠操作手段、（ｂ）は非バイオメトリクス解錠操作手段を示す外観斜視図である。
【図３】バイオメトリクス解錠操作手段の機能ブロック図である。
【図４】バイオメトリクス解錠操作手段の動作を示すフローチャートである。
【図５】非バイオメトリクス解錠操作手段の動作を示すフローチャートである。
【符号の説明】
１        ドア
２        バイオメトリクス認証手段
３        バイオメトリクス解錠操作手段
４        非バイオメトリクス解錠操作手段
【図１】
2005002603.tif 000003
【図２】
2005002603.tif 000004
【図３】
2005002603.tif 000005
【図４】
2005002603.tif 000006
【図５】
2005002603.tif 000007